(57)【特許請求の範囲】
【請求項１】
上端部に、理論空燃比より燃料濃度が希薄な淡混合気を噴出する前後方向に長手の淡炎口と、淡炎口の少なくとも横方向一側に位置する、混合気が噴出しない盲空隙と、盲空隙の横方向外側に位置し、理論空燃比より燃料濃度が濃い濃混合気を噴出する濃炎口とを有する濃淡バーナであって、
バーナ構成部材として、横方向に対峙する一対の側板を有するバーナ本体と、バーナ本体を少なくとも横方向一側の外側から覆う側板を有するバーナキャップと、バーナ本体の両側板間に装着され、淡炎口を横方向複数の領域に区分けする複数の整流板を有する整流部材とを備えるものにおいて、
バーナ本体の各側板の上端は、バーナキャップの側板の上端及び各整流板の上端よりも低く、整流部材は、複数の整流板のうち盲空隙に隣接する外側整流板よりも横方向外側に位置し、バーナ本体の側板よりも上方にのびる仕切り板を備え、仕切り板と外側整流板との間に盲空隙が画成され、仕切り板とバーナキャップの側板との間に濃炎口が画成されることを特徴とする濃淡バーナ。
【請求項２】
前記整流部材は、前後方向複数個所に、前記仕切り板の上端と前記外側整流板の上端とを繋ぐブリッジ部を有することを特徴とする請求項１記載の濃淡バーナ。
【請求項３】
前記整流部材は、前記各ブリッジ部に合致する前後方向位置に、前記複数の整流板を横方向に密着させて前記淡炎口を前後方向に分割する絞り部を有することを特徴とする請求項２記載の濃淡バーナ。
【請求項４】
請求項３記載の濃淡バーナであって、前記バーナキャップが前記バーナ本体を横方向一側の外側と横方向他側の外側とから覆う一対の側板と、当該両側板の上端間を繋ぐ前後複数個所のブリッジ部とを有するものにおいて、
バーナキャップの各ブリッジ部は、前記整流部材の前記各ブリッジ部に合致する前後方向位置に、整流部材の各ブリッジ部上に接触するように設けられることを特徴とする濃淡バーナ。
【発明の詳細な説明】
【技術分野】
【０００１】
本発明は、上端部に、理論空燃比より燃料濃度が希薄な淡混合気を噴出する前後方向に長手の淡炎口と、淡炎口の少なくとも横方向一側に位置する、混合気が噴出しない盲空隙と、盲空隙の横方向外側に位置し、理論空燃比より燃料濃度が濃い濃混合気を噴出する濃炎口とを有する濃淡バーナに関する。
【背景技術】
【０００２】
この種の濃淡バーナは、その構成部材として、横方向に対峙する一対の側板を有するバーナ本体と、バーナ本体を少なくとも横方向一側（濃炎口の配置側）の外側から覆う側板を有するバーナキャップと、バーナ本体の両側板間に装着され、淡炎口を横方向複数の領域に区分けする複数の整流板を有する整流部材とを備えている。そして、従来、バーナ本体の各側板の上端は、バーナキャップの側板の上端及び各整流板の上端と同等高さに位置し、整流部材の複数の整流板のうち盲空隙に隣接する外側整流板とバーナ本体の側板との間に盲空隙が画成され、バーナ本体の側板とバーナキャップの側板との間に濃炎口が画成されるようにしている（例えば、特許文献１参照）。
【０００３】
ここで、淡炎口や濃炎口の画成部分は高温になるため、従来は、バーナ本体、バーナキャップ及び整流部材を高温耐久性に優れたＳＵＳ系材料で形成している。然し、バーナ本体で高温になる部分は、その側板の上端部だけであり、バーナ本体全体を高価なＳＵＳ系材料で形成することは、コストダウンを図る上で問題がある。
【先行技術文献】
【特許文献】
【０００４】
【特許文献１】特開２００７−２８５５３６号公報
【発明の概要】
【発明が解決しようとする課題】
【０００５】
本発明は、以上の点に鑑み、バーナ本体を高温耐久性に優れた材料で形成する必要をなくして、コストダウンを図ることができるようにした濃淡バーナを提供することをその課題としている。
【課題を解決するための手段】
【０００６】
上記課題を解決するために、本発明は、上端部に、理論空燃比より燃料濃度が希薄な淡混合気を噴出する前後方向に長手の淡炎口と、淡炎口の少なくとも横方向一側に位置する、混合気が噴出しない盲空隙と、盲空隙の横方向外側に位置し、理論空燃比より燃料濃度が濃い濃混合気を噴出する濃炎口とを有する濃淡バーナであって、バーナ構成部材として、横方向に対峙する一対の側板を有するバーナ本体と、バーナ本体を少なくとも横方向一側の外側から覆う側板を有するバーナキャップと、バーナ本体の両側板間に装着され、淡炎口を横方向複数の領域に区分けする複数の整流板を有する整流部材とを備えるものにおいて、バーナ本体の各側板の上端は、バーナキャップの側板の上端及び各整流板の上端よりも低く、整流部材は、複数の整流板のうち盲空隙に隣接する外側整流板よりも横方向外側に位置し、バーナ本体の側板よりも上方にのびる仕切り板を備え、仕切り板と外側整流板との間に盲空隙が画成され、仕切り板とバーナキャップの側板との間に濃炎口が画成されることを特徴とする。
【０００７】
本発明によれば、バーナ本体は、その側板の上端が濃炎口を画成する仕切り板よりも下方に位置するため、左程高温にならない。従って、バーナ本体を高温耐久性に優れた材料で形成しなくても済み、コストダウンを図ることができる。
【０００８】
また、本発明において、整流部材は、前後方向複数個所に、仕切り板の上端と外側整流板の上端とを繋ぐブリッジ部を有することが望ましい。これによれば、ブリッジ部が支えとなって、経年劣化による仕切り板の横方向変位が抑制される。従って、濃炎口や盲空隙の横幅が仕切り板の横方向変位で変化して、燃焼性が悪化することを有効に防止できる。
【０００９】
更に、整流部材は、各ブリッジ部に合致する前後方向位置に、複数の整流板を横方向に密着させて淡炎口を前後方向に分割する絞り部を有することが望ましい。これによれば、淡炎口に生ずる火炎によるブリッジ部への熱影響を低減でき、ブリッジ部の耐久性が向上する。
【００１０】
また、バーナキャップがバーナ本体を横方向一側の外側と横方向他側の外側とから覆う一対の側板と、当該両側板の上端間を繋ぐ前後複数個所のブリッジ部とを有する場合、バーナキャップの各ブリッジ部は、整流部材の各ブリッジ部に合致する前後方向位置に、整流部材の各ブリッジ部上に接触するように設けられることが望ましい。これによれば、バーナキャップのブリッジ部が比較的低温に維持される整流部材のブリッジ部への熱引けで冷却され、バーナキャップのブリッジ部の耐久性も向上する。
【図面の簡単な説明】
【００１１】
【図１】本発明の実施形態の濃淡バーナを示す斜視図。
【図２】図１のＩＩ−ＩＩ線で切断した断面図。
【図３】実施形態の濃淡バーナの分解斜視図。
【図４】実施形態の濃淡バーナの要部の切断斜視図。
【図５】第２の実施形態の濃淡バーナの要部の切断斜視図。
【図６】第３の実施形態の濃淡バーナの要部の断面図。
【図７】第４の実施形態の濃淡バーナの要部の断面図。
【発明を実施するための形態】
【００１２】
図１、図２を参照して、１は本発明の実施形態の濃淡バーナを示している。この濃淡バーナ１は、上端部に、理論空燃比より燃料濃度が希薄な淡混合気を噴出する前後方向に長手の淡炎口２と、淡炎口２の横方向両側に位置する、混合気が噴出しない一対の盲空隙４，４と、淡炎口２の横方向一側の盲空隙４の横方向外側と淡炎口２の横方向他側の盲空隙４の横方向外側とに位置する、理論空燃比より燃料濃度が濃い濃混合気を噴出する一対の濃炎口３，３とを有する。
【００１３】
図３も参照して、濃淡バーナ１は、その構成部材として、横方向に対峙する一対の側板５１，５１を有するバーナ本体５と、バーナ本体５を横方向一側の外側と横方向他側の外側とから覆う一対の側板６１，６１を有するバーナキャップ６と、バーナ本体５の両側板５１，５１間に装着され、淡炎口２を横方向複数の領域に区分けする複数の整流板を有する整流部材７とを備える。
【００１４】
バーナ本体５の両側板５１，５１は、一枚の板をバーナ本体５の下縁となる折り曲げ線で合掌状態に折り曲げることにより形成されている。また、バーナ本体５には、両側板５１，５１をプレス加工することで形成した、バーナ本体５の下部後端に開口する流入口５２ａから前方にのびる淡混合管部５２と、淡混合管部５２からの淡混合気を淡炎口２に導く淡通路部５３とが設けられている。淡混合管部５２の流入口５２ａの開口面積は比較的
広く、この流入口５２ａに対向する淡ガスノズル（図示せず）からの燃料ガスと共に比較的多量の一次空気が淡混合管部５２に流入して、淡混合気が生成される。淡通路部５３は、淡混合管部５２の前端部から上方に向かって前後方向に広がるようにのびている。
【００１５】
また、バーナ本体５の淡混合管部５２と淡通路部５３との間の部分には、両側板５１，５１をプレス加工することで形成した濃混合管部５４が設けられている。濃混合管部５４は、バーナ本体５の後端に開口する流入口５４ａから前方に少しのびて終端しており、その前部外側面に流出孔５４ｂが開設されている。濃混合管部５４の流入口５４ａの開口面積は比較的狭く、この流入口５４ａに対向する濃ガスノズル（図示せず）からの燃料ガスと共に比較的少量の一次空気が濃混合管部５４に流入して、濃混合気が生成される。
【００１６】
濃混合管部５４の流出孔５４ｂから流出する濃混合気は、バーナ本体５の各側板５１とバーナキャップ６の各側板６１との間に画成される濃通路部６２を介して各濃炎口３に導かれる。また、バーナキャップ６の各側板６１の上部の前後複数個所には、濃炎口３を前後方向に分割する凹部６３が形成されている。
【００１７】
整流部材７は、横方向内側の一対の内側整流板７１ｉｎと、横方向両外側に位置する一対の外側整流板７１ｏｕｔとを有しており、更に、これら内側と外側の整流板７１ｉｎ，７１ｏｕｔを横方向に密着させて淡炎口２を前後方向に分割する前後複数個所の絞り部７２を有している。また、各内側整流板７１ｉｎとこれに隣接する外側整流板７１ｏｕｔはその下端の前後複数個所に設けた折り返し繋部７３で連結されている。
【００１８】
ところで、本実施形態では、図２、図４に示す如く、バーナ本体５の各側板５１を、その上端がバーナキャップ６の各側板６１の上端及び各整流板７１ｉｎ，７１ｏｕｔの上端よりも低くなるように形成している。一方、整流部材７は、各盲空隙４に夫々隣接する両外側整流板７１ｏｕｔ，７１ｏｕｔよりも横方向外側に位置し、バーナ本体５の各側板５１の上端部内面に隙間なく接触した状態で各側板５１よりも上方にのびる一対の仕切り板７４，７４を備えている。そして、各仕切り板７４とバーナキャップ６の各側板６１との間に各濃炎口３が画成されるようにしている。
【００１９】
また、バーナ本体５の各側板５１の上端近傍に、整流部材７の各外側整流板７１ｏｕｔに接近する横方向内方への窪み部５５を形成し、この窪み部５５と各外側整流板７１ｏｕｔとの間の隙間に、この隙間を閉塞するように各仕切り板７４の下端部を挿入している。そして、各仕切り板７４と各外側整流板７１ｏｕｔとの間に各盲空隙４が画成されるようにしている。
【００２０】
ここで、バーナキャップ６と整流部材７は、夫々濃炎口３に生ずる火炎（濃火炎）と淡炎口２に生ずる火炎（淡火炎）とで加熱されるため、高温耐久性に優れたＳＵＳ４３０等の高価な材料で形成する必要がある。一方、バーナ本体５は、その側板５１の上端が濃炎口３を画成する仕切り板７４よりも下方に位置するため、左程高温にならない。従って、濃淡バーナ１の大部分を構成するバーナ本体５を高温耐久性に優れた材料で形成しなくても済み、ＳＡ１Ｄ等の比較的安価な材料でバーナ本体５を形成して、コストダウンを図ることができる。
【００２１】
また、本実施形態では、整流部材７の前後複数個所に、各仕切り板７４の上端と各外側整流板７１ｏｕｔの上端とを繋ぐブリッジ部７５を設けている。これによれば、ブリッジ部７５が支えとなって、経年劣化による仕切り板７４の横方向変位が防止される。従って、濃炎口３や盲空隙４の横幅が仕切り板７４の横方向変位で変化して、燃焼性が悪化することを有効に防止できる。
【００２２】
また、本実施形態では、整流部材７の各ブリッジ部７５に合致する前後方向位置に、淡炎口２を前後方向に分割する絞り部７２を設けている。これによれば、ブリッジ部７５が淡炎口２の分割個所に位置することになり、淡火炎によるブリッジ部７５への熱影響を低減でき、ブリッジ部７５の耐久性が向上する。
【００２３】
また、バーナキャップ６は、その両側板６１，６１の上端間を繋ぐ前後複数個所のブリッジ部６４を有している。そして、バーナキャップ６の各ブリッジ部６４は、整流部材７の各ブリッジ部７５に合致する前後方向位置に、これら各ブリッジ部７５上に接触するように設けられている。これによれば、濃火炎で加熱されるバーナキャップ６のブリッジ部６４が比較的低温に維持される整流部材７のブリッジ部７５への熱引けで冷却され、バーナキャップ６のブリッジ部６４の耐久性も向上する。
【００２４】
尚、各仕切り板７４の上端と各外側整流板７１ｏｕｔの上端とを繋ぐブリッジ部７５を設けずに、図５に示す第２の実施形態の如く、各外側整流板７１ｏｕｔと各仕切り板７４とをその下端の前後複数個所に設けた折り返し繋部７６で連結することも可能である。
【００２５】
また、図６に示す第３の実施形態の如く、バーナキャップ６の横方向片側（右側）の側板６１を整流部材７の右側の仕切り板７４に重ね合わせて、右側の濃炎口３を省略することも可能である。この場合は、濃淡バーナ１の右側に同様の濃淡バーナ１を並設し、前者の濃淡バーナ１の右側の盲空隙４に後者の濃淡バーナ１の左側の濃炎口３を隣接させる。
【００２６】
更に、図７に示す第４の実施形態の如く、横方向片側（右側）の濃炎口３だけでなく、右側の盲空隙４とバーナキャップ６の右側の側板６１と整流部材７の右側の仕切り板７４を省略することも可能である。この場合は、濃淡バーナ１の右側に同様の濃淡バーナ１を並設し、前者の濃淡バーナ１の整流部材７の右側の外側整流板７１ｏｕｔと後者の濃淡バーナ１のバーナキャップ６の左側の側板６１との間に、前者の濃淡バーナ１の淡炎口２と後者の濃淡バーナ１の濃炎口３との間に位置する盲空隙４´が画成されるようにする。
【符号の説明】
【００２７】
１…濃淡バーナ、２…淡炎口、３…濃炎口、４…盲空隙、５…バーナ本体、５１…側板、６…バーナキャップ、６１…側板、６４…ブリッジ部、７…整流部材、７１ｉｎ…内側整流板、７１ｏｕｔ…外側整流板、７２…絞り部、７４…仕切り板、７５…ブリッジ部。
【図１】
0005631946.tif 000002
【図２】
0005631946.tif 000003
【図３】
0005631946.tif 000004
【図４】
0005631946.tif 000005
【図５】
0005631946.tif 000006
【図６】
0005631946.tif 000007
【図７】
0005631946.tif 000008